(57)【要約】【課題】本発明は、冷水タンク内部に殺菌装置が具備された冷温水器を提供する。【解決手段】本発明は、冷温水器は温水が貯蔵される温水タンク、温水タンクの上部に配置されて冷水が貯蔵される冷水タンク、冷水タンク内部に設置されて冷水タンク内部を上下で分離して常温水領域と冷水領域に分離する分離板、及び冷水タンクの内部に分離板の下に設置されて冷水タンク内部に紫外線を放出する殺菌装置を含む。殺菌装置は、冷水タンクの底面を貫通して底面上部に少なくとも一部が突出する固定部、固定部の突出した部分に脱着可能に装着されて上部に開口が形成されたボディー、及びボディー内部に設置されてボディーの開口を通じて冷水タンク内部に紫外線を放出する発光部を含む。【選択図】図３
2017165483.tif 000002
【特許請求の範囲】
【請求項１】
温水が貯蔵される温水タンクと、
前記温水タンクの上部に配置されて冷水が貯蔵される冷水タンクと、
前記冷水タンク内部に設置されて、前記冷水タンク内部を上下に分離して常温水領域と冷水領域に分離する分離板と、
前記冷水タンクの内部に前記分離板より下に設置されて、前記冷水タンク内部に紫外線を放出する殺菌装置とを含み、
前記殺菌装置は、
前記冷水タンクの底面を貫通して前記底面上部に少なくとも一部が突出する固定部と、
前記固定部の突出した部分に脱着可能に装着され、上部に開口が形成されたボディーと、
前記ボディー内部に設置され、前記ボディーの開口を通じて前記冷水タンク内部に紫外線を放出する発光部と、を含む冷温水器。
【請求項２】
前記冷水タンクはステンレス桶であることを特徴とする請求項１に記載の冷温水器。
【請求項３】
前記固定部は中空が形成されたシリンダー形状であり、
前記発光部は、
前記ボディーの内部に収容される基板と、
前記基板上面に配置されて、外部から電力の供給を受けて紫外線を放出する少なくとも一つの紫外線発光ダイオード(ＵＶ ＬＥＤ)とを含み、
前記紫外線発光ダイオードは前記固定部の中空を通じて外部から電力の供給を受けることを特徴とする請求項１に記載の冷温水器。
【請求項４】
前記ボディー内部の前記発光部上部に配置され、前記発光部から放出された紫外線を均一に分散させる拡散部をさらに含み、
前記拡散部は石英(quartz)を含むことを特徴とする請求項１に記載の冷温水器。
【請求項５】
前記ボディーは、
前記固定部に脱着可能に装着され、内部に前記発光部を収容する下部ボディーと、
前記下部ボディーに脱着可能に装着され、内部に前記拡散部を収容し、上部に前記発光部から放出された紫外線を前記冷水タンク内部に供給するための開口が形成された上部ボディーと、を含むことを特徴とする請求項４に記載の冷温水器。
【請求項６】
前記下部ボディーは前記固定部及び前記上部ボディーとそれぞれ螺合によって締結されることを特徴とする請求項５に記載の冷温水器。
【請求項７】
前記下部ボディーは、
前記固定部に結合される第１結合部と、
前記第１結合部の上端から上方に延在して前記上部ボディーと結合されて、内部に前記発光部を収容する第２結合部と、
前記第１結合部の上端から半径方向外側に延在して前記上部ボディーを支持する支持部と、
前記支持部から下方に延在して前記下部ボディーの剛性を向上させる下部リブと、を含むことを特徴とする請求項５に記載の冷温水器。
【請求項８】
前記冷水タンクの底面と前記下部リブの末端部との間には間隙(gap)が形成されることを特徴とする請求項７に記載の冷温水器。
【請求項９】
前記上部ボディーは、
前記第２結合部に脱着可能に装着されて、内部に前記拡散部を収容する第３結合部と、
前記第３結合部の上端から半径方向内側に延在し、前記発光部から放出された紫外線を前記冷水タンク内部に供給するための開口を形成する上部リブと、を含むことを特徴とする請求項７に記載の冷温水器。
【請求項１０】
前記冷水タンク内部に貯蔵された水が前記殺菌装置内部に浸透するのを防止するためのシーリング部をさらに含み、
前記シーリング部は、
前記固定部の上面をカバーして、前記下部ボディーの内周面に接触する第１シーリング部材と、
前記下部ボディーと前記上部ボディーとの間に配置される第２シーリング部材と、
前記上部ボディーと前記拡散部との間に配置される第３シーリング部材と、を含むことを特徴とする請求項５に記載の冷温水器。
【請求項１１】
前記第１シーリング部材は、
前記固定部内部に挿入されるシーリング胴体と、
前記シーリング胴体の上端から半径方向外側に延在して前記固定部の上面をカバーし、前記下部ボディーの内周面に接触するシーリングリブと、を含むことを特徴とする請求項１０に記載の冷温水器。
【請求項１２】
前記第３シーリング部材の外周面は、前記第３結合部の内周面と接触して、当該内周面は前記拡散部の外周面を囲むことを特徴とする請求項１０に記載の冷温水器。
【発明の詳細な説明】
【技術分野】
【０００１】
本発明は冷温水器に関するものである。より詳細には、本発明は冷水タンク内部に殺菌装置が具備された冷温水器に関するものである。
【背景技術】
【０００２】
昨今、急激な産業発展と共に環境汚染もますますひどくなっている。特に、水質汚染が深刻で、家庭や官公署などでは水を浄水処理した後に飲み水で使っている。このような浄水過程には冷温水器が使われることがある。
【０００３】
一般に、冷温水器は水を加熱するか、または冷却させて温水及び冷水を供給する装置を意味するが、外部で供給された水を浄水するか、または生水桶に貯蔵された浄水された水を使用者に供給する装置も冷温水器に含まれ得る。一方、使用者は冷温水器から吐出された水を直ちに飲み水として使用するため、冷温水器に対する周期的な殺菌及び消毒が必要である。
【０００４】
冷温水器には冷水と温水をそれぞれ分離して貯蔵できるように冷水タンク及び温水タンクが別に具備され得る。温水タンクの場合には温水が貯蔵されるのである程度の殺菌効果を期待することができる。しかし、冷水タンクは貯蔵される水の温度が低いため、使用者が冷水タンクを分解して殺菌及び消毒を別に実施しなければならない不便さがある。
【発明の概要】
【発明が解決しようとする課題】
【０００５】
本発明の課題は、紫外線を利用して冷水タンクに対する殺菌を実施することで細菌増殖を抑制することができる冷温水器を提供することにある。
【課題を解決するための手段】
【０００６】
本発明の課題を達成するための例示的な実施例による冷温水器は、温水が貯蔵される温水タンク、該温水タンクの上部に配置されて冷水が貯蔵される冷水タンク、前記冷水タンク内部に設置されて前記冷水タンク内部を上下で分離して常温水領域と冷水領域に分離する分離板、及び前記冷水タンクの内部に前記分離板より下に設置されて前記冷水タンク内部に紫外線を放出する殺菌装置を含む。前記殺菌装置は、前記冷水タンクの底面を貫通して前記底面上部に少なくとも一部が突出する固定部、前記固定部の突出した部分に脱着可能に装着されて上部に開口が形成されたボディー、及び前記ボディー内部に設置されて前記ボディーの開口を通じて前記冷水タンク内部に紫外線を放出する発光部を含む。
【０００７】
例示的な実施例において、前記冷水タンクはステンレス桶であってもよい。
【０００８】
例示的な実施例において、前記固定部は中空が形成されたシリンダー形状であってもよい。前記発光部は、前記ボディーの内部に収容される基板、及び前記基板上面に配置されて外部から電力の供給を受けて紫外線を放出する少なくとも一つの紫外線発光ダイオード(ＵＶ ＬＥＤ)を含んでもよい。前記紫外線発光ダイオードは、前記固定部の中空を通じて外部から電力の供給を受けることができる。
【０００９】
例示的な実施例において、前記冷温水器は、前記ボディー内部の前記発光部上部に配置されて前記発光部から放出された紫外線を均一に分散させる拡散部をさらに含んでもよい。前記拡散部は石英(quartz)を含んでもよい。
【００１０】
例示的な実施例において、前記ボディーは、前記固定部に脱着可能に装着されて内部に前記発光部を収容する下部ボディー、及び前記下部ボディーに脱着可能に装着されて内部に前記拡散部を収容して上部には前記発光部から放出された紫外線を前記冷水タンク内部に供給するための開口が形成された上部ボディーを含んでもよい。
【００１１】
例示的な実施例において、前記下部ボディーは前記固定部及び前記上部ボディーとそれぞれ螺合によって締結されてもよい。
【００１２】
例示的な実施例において、前記下部ボディーは、前記固定部に結合される第１結合部、前記第１結合部の上端から上方に延在して前記上部ボディーと結合されて内部に前記発光部を収容する第２結合部、前記第１結合部の上端から半径方向外側に延在して前記上部ボディーを支持する支持部、及び前記支持部から下方に延在して前記下部ボディーの剛性を向上させる下部リブを含んでもよい。
【００１３】
例示的な実施例において、前記冷水タンクの底面と前記下部リブの末端部の間には間隙(gap)が形成されてもよい。
【００１４】
例示的な実施例において、前記上部ボディーは、前記第２結合部に脱着可能に装着されて内部に前記拡散部を収容する第３結合部、及び前記第３結合部の上端から半径方向内側に延在し、前記発光部から放出された紫外線を前記冷水タンク内部に供給するための開口を形成する上部リブを含んでもよい。
【００１５】
例示的な実施例において、前記冷温水器は前記冷水タンク内部に貯蔵された水が前記殺菌装置内部に浸透することを防止するためのシーリング部をさらに含んでもよい。前記シーリング部は、前記固定部の上面をカバーして前記下部ボディーの内周面に接触する第１シーリング部材、前記下部ボディーと前記上部ボディーとの間に配置される第２シーリング部材、及び前記上部ボディーと前記拡散部との間に配置される第３シーリング部材を含んでもよい。
【００１６】
例示的な実施例において、前記第１シーリング部材は、前記固定部内部に挿入されるシーリング胴体、及び前記シーリング胴体の上端から半径方向外側に延在して前記固定部の上面をカバーして前記下部ボディーの内周面に接触するシーリングリブを含んでもよい。
【００１７】
例示的な実施例において、前記第３シーリング部材の外周面は前記第３結合部の内周面と接触して、内周面は前記拡散部の外周面を囲んでもよい。
【発明の効果】
【００１８】
本発明の実施例によれば、冷温水器は冷水タンクの底面に具備される殺菌装置を含み、前記殺菌装置は紫外線を放出することで前記冷水タンク及びこれに収容された水に対する殺菌及び消毒を実行することができる。これによって、細菌増殖を抑制することで、前記冷温水器の清潔度を向上させることができる。
【００１９】
但し、本発明の効果は前記言及した効果に限定されるものではなく、本発明の思想及び領域から脱しない範囲で多様に拡張することができる。
【図面の簡単な説明】
【００２０】
【図１】例示的な実施例による冷温水器を示す斜視図である。
【図２】図１の冷温水器を示す正面図である。
【図３】図１の冷温水器を示す断面図である。
【図４】図３の殺菌装置を示す断面斜視図である。
【図５】同じく、図３の殺菌装置を示す断面斜視図である。
【図６】図３の殺菌装置を示す分解図である。
【発明を実施するための形態】
【００２１】
以下、添付した図面を参照して、本発明の望ましい実施例をより詳細に説明する。一方、特定の構造的または機能的説明は単に本発明の実施例を説明するための目的で例示されるだけであり、本発明を特定の開示形態に対して限定しようとするものではなく、本発明の思想及び技術範囲に含まれるすべての変更、均等物または代替物を含むものとして理解されなければならない。また、図面上の同一な構成要素に対しては同一な参照符号を使って同一な構成要素に対して重複された説明は略する。
【００２２】
図１は、例示的な実施例による冷温水器を示す斜視図である。図２は、図１の冷温水器を示す正面図である。図３は、図１の冷温水器を示す断面図である。
【００２３】
図１乃至図３を参照すれば、冷温水器は外観を形成する本体１０、本体１０内部に収容されて冷水及び温水をそれぞれ貯蔵する冷水タンク２０及び温水タンク３０、冷水タンク２０及び温水タンク３０に水を供給する給水部、前記給水部を通じて供給される水を浄化するフィルター４０、冷水タンク２０及び温水タンク３０に貯蔵された水を外部に排出する出水部、冷水タンク２０内部の水を冷却する冷却部、温水タンク３０内部の水を加熱する加熱部、及び冷水タンク２０に対する殺菌作業を実行する殺菌装置１００を含む。
【００２４】
本体１０の前面には温水及び冷水をそれぞれ吐出する温水コーク１３及び冷水コーク１４が設置される。温水コーク１３は後述する温水出水管６３を通じて温水タンク３０と連結され、冷水コーク１４は後述する冷水出水管６２を通じて冷水タンク２０と連結される。
【００２５】
温水コーク１３及び冷水コーク１４にはそれぞれ温水レバー１１及び冷水レバー１２が具備され、使用者は温水レバー１１または冷水レバー１２を操作することで温水または冷水を取出することができる。具体的には、使用者は温水レバー１１を押すか、または引くことで温水コーク１３から温水を取出することができ、冷水レバー１２を押すか、または引くことで冷水コーク１４から冷水を吐出することができる。
【００２６】
一方、急な温水吐出によって安全事故が発生するおそれがある。特に、子供が不注意に温水レバー１１を操作して温水が吐出されると、火傷をするおそれがある。このような事故を防止するために、温水コーク１３の上端には温水ボタン１５がさらに具備される。すなわち、温水レバー１１操作だけでは温水が吐出ず、使用者が追加的に温水ボタン１５を押した場合のみに温水コーク１３から温水が吐出される。
【００２７】
また、図示しないが、必要によって冷水コーク１４の上端にも冷水ボタンがさらに具備されてもよい。この場合において、使用者が冷水レバー１２を操作しながら前記冷水ボタンを押した場合のみに冷水コーク１４から冷水が吐出されてもよい。
【００２８】
一実施例において、本体１０は温水コーク１３及び冷水コーク１４の下部に設置されるトレー１７をさらに含んでもよい。トレー１７内部には所定大きさの収容空間が形成され、温水コーク１３及び冷水コーク１４から吐出された水を収容することができる。これによって、冷温水器周辺の底が濡れるのを防止することができる。トレー１７に収容された水は使用者によって手動で除去され得る。これと異なり、トレー１７に別途のドレンパイプを連結してトレー１７に収容された水を自動で除去することもできる。
【００２９】
前記給水部は外部から水の供給を受けて冷水タンク２０及び温水タンク３０に供給することができる。前記給水部は外部の給水源から水の供給を受けてフィルター４０に提供する第１給水管５１、フィルター４０によって浄水された水を冷水タンク２０に供給する第２給水管５３、及び冷水タンク２０に貯蔵された水を温水タンク３０に供給する第３給水管５５を含む。
【００３０】
第１給水管５１は本体１０を貫通して、外部の給水源とフィルター４０を連結することができる。
【００３１】
フィルター４０は本体１０内部に設置され、必要によって複数個が設置される。フィルター４０は供給された水で細菌及び不純物をろ過することができる。例えば、前記フィルターは沈殿フィルター、逆浸透フィルター、中空糸膜フィルターなどである。
【００３２】
第２給水管５３はフィルター４０と冷水タンク２０を連結することができる。この時、第２給水管５３は冷水タンク２０の上部に連結されることで、冷水タンク２０からフィルター４０方向に水が逆流することを防止することができる。
【００３３】
第３給水管５５は冷水タンク２０と温水タンク３０を連結し、冷水タンク２０に貯蔵された水を温水タンク３０に供給することができる。この場合において、第３給水管５５は冷水タンク２０の下部と温水タンク３０の下部を連結することができる。温水タンク３０は冷水タンク２０より下に配置されるので、別途の動力源を使わずに冷水タンク２０に貯蔵された水を温水タンク３０に供給することができ、温水タンク３０の水が冷水タンク２０に逆流することを防止することができる。
【００３４】
前記出水部は冷水タンク２０及び温水タンク３０に貯蔵された水を外部に排出することができる。具体的に、前記出水部は冷水タンク２０と冷水コーク１４を連結する冷水出水管６１、及び温水タンク３０と温水コーク１３を連結する温水出水管６３を含むことができる。冷水タンク２０に貯蔵された冷水は冷水出水管６１及び冷水コーク１４を順次経て外部に排出され、温水タンク３０に貯蔵された温水は温水出水管６３及び温水コーク１３を順次経て外部に排出される。
【００３５】
冷水タンク２０は本体１０内部に収容され、冷水を貯蔵することができる。冷水タンク２０は前記給水部を通じて外部から水の供給を受けて、冷水出水管６１を通じて外部に水を排出することができる。
【００３６】
例えば、前記冷水タンクはステンレス桶であってもよい。これによって、冷水タンク２０の重さを減らすことができ、表面での酸化作用を防止することができる。また、後述する殺菌装置１００から放出された紫外線が冷水タンク２０の内部表面で易しく反射されることで、冷水タンク２０内部が均一に殺菌される。
【００３７】
冷水タンク２０には冷水タンク２０内部に貯蔵された水を冷却させるための冷却部が具備される。前記冷却部は冷水タンク２０に貯蔵された水を冷却して、冷水コーク１４を通じて吐出される冷水が一定な温度を維持するように調節することができる。
【００３８】
一実施例において、前記冷却部は、冷媒が循環する冷媒管(図示せず)、前記冷媒を冷却させるための圧縮機８１、前記冷却された冷媒を利用して冷水タンク２０内部の水を冷却させるための蒸発器８３、及び前記冷水タンク２０の外周面を囲む断熱部材８５を含むことができる。圧縮機８１は外部空気との熱交換を通じて冷媒を冷却させることができ、蒸発器８３は前記冷却された冷媒を利用して冷水タンク２０内部の水を冷却させることができる。また、断熱部材８５は冷水タンク２０内部への熱侵入を遮断して熱損失を防止することができる。例えば、前記断熱部材はスタイロフォームを含んでもよい。
【００３９】
本発明による冷温水器は、冷水タンク２０内部に設置される分離部９０をさらに含んでもよい。分離部９０は冷水タンク２０の内部空間を上下で区切る分離板９１、及び分離板９１の中央を貫通して下方に延在して第３給水管５５に連通する連結管９３を含むことができる。例えば、前記分離板は円盤形状であってもよいし、前記連結管は前記分離板を貫通するシリンダー形状であってもよい。
【００４０】
冷水タンク２０は分離板９１を基準にして上部の常温水領域と下部の冷水領域とに分離する。前記常温水領域は第２給水管５３を通じて供給を受けた常温水を貯蔵することができ、前記冷水領域は蒸発器８３によって冷却された比較的低温の冷水を貯蔵することができる。前記常温水領域の常温水は連結管９３及び第３給水管５５を経って温水タンク３０に供給される。これによって、温水タンク３０で水を加熱するのに必要なエネルギーを節約することができる。
【００４１】
温水タンク３０は本体１０内部に収容されて冷水タンク２０より低い位置に配置される。温水タンク３０は冷水タンク２０から水の供給を受けて、温水出水管６３を通じて外部に水を排出することができる。温水タンク３０には温水タンク３０内部に貯蔵された水を加熱するための加熱部が具備される。
【００４２】
前記加熱部は温水タンク３０に貯蔵された水を加熱して、温水コーク１３を通じて吐出される温水が一定な温度を維持するように調節することができる。例えば、前記加熱部はヒーターであってもよい。前記ヒーターは温水タンク３０外部に設置されて温水タンク３０に熱を伝達するか、または温水タンク３０内部に設置されて水を直接加熱することができる。
【００４３】
一方、前記冷却部と前記加熱部はお互いに独立的に動作することができる。すなわち、前記冷却部の駆動が中止された状態で前記加熱部だけ駆動されてもよいし、これと反対状況で動作することもできる。
【００４４】
殺菌装置１００は冷水タンク２０の内部に設置される。図３及び図４では殺菌装置１００が冷水タンク２０の底面２１に設置されたものが示されているが、これに制限されるものではなく、必要によって多様な位置に設置され得る。例えば、前記殺菌装置は冷水タンク２０内部の側壁または上面に設置されてもよい。しかし、殺菌装置１００が冷水タンク２０の上面に設置される場合には、殺菌装置１００から放出された紫外線が分離部９０に隔てられて冷水タンク２０内部で均一に反射されることができないおそれがある。よって、殺菌装置１００が冷水タンク２０の底面２１上に、すなわち、分離部９０下に設置されることが最大の殺菌効果を得ることができる。
【００４５】
以下では、図４乃至図６を参照して殺菌装置１００に対してより詳細に説明する。
【００４６】
図４及び図５は、図３の殺菌装置を示す断面斜視図である。図６は、図３の殺菌装置を示す分解図である。
【００４７】
図４乃至図６を参照すれば、殺菌装置１００は、冷水タンク２０の底面に固定される固定部１１０、固定部１１０に結合される下部ボディー１２０、下部ボディー１３０上部に結合される上部ボディー１３０、下部ボディー１２０内部に設置されて紫外線を放出する発光部１４０、上部ボディー１３０内部に設置されて発光部１４０から放出された紫外線を面光源に変換させる拡散部１５０、水分流入を防止するためのシーリング部１６０、及び発光部１４０への電力供給のための電力供給部１７０を含む。
【００４８】
固定部１１０は分離部９０の分離板９１下に設置される。具体的には、固定部１１０は冷水タンク２０の分離板９１下の底面２１を貫通して、少なくとも一部が底面２１の上部に突出する。前記突出した部分には下部ボディー１２０が脱着可能に結合される。また、固定部１１０内部には中空が形成されて、電力供給部１７０は前記中空を通じて発光部１４０に電力を供給することができる。例えば、前記固定部はシリンダー形状を有し、前記突出した部分の外周面にはねじが形成される。
【００４９】
下部ボディー１２０は固定部１１０の前記突出した部分に脱着可能に装着されて、内部に発光部１４０を収容することができる。
【００５０】
下部ボディー１２０は固定部１１０に結合される第１結合部１２１、第１結合部１２１の上端から上方に延在して上部ボディー１３０に結合される第２結合部１２３、第１結合部１２１の上端から半径方向外側に延在して上部ボディー１３０を支持する支持部１２５、及び支持部１２５から下方に延在する下部リブ１２７を含む。
【００５１】
第１結合部１２１は固定部１１０の外周面に脱着可能に装着される。例えば、前記第１結合部はシリンダー形状を有し、内周面にはねじが形成される。すなわち、第１結合部１２１は固定部１１０と螺合によって締結される。
【００５２】
第２結合部１２３は第１結合部１２１から上方に延在して上部ボディー１３０の内周面に脱着可能に装着される。例えば、前記第２結合部はシリンダー形状を有し、外周面にはねじが形成される。すなわち、第２結合部１２３は上部ボディー１３０と螺合によって締結される。
【００５３】
第２結合部１２３は内部に発光部１４０を収容することができる。図３乃至図５には発光部１４０が第２結合部１２３の上部に嵌着されることが図示されているが、これに制限されるものではない。例えば、第２結合部１２３の内周面に円周方向にリセスが形成されて、発光部１４０は前記リセスに収容されてもよい。
【００５４】
支持部１２５は第１結合部１２１から半径方向外側に延在して形成されて、上部ボディー１３０の底面に接触する。一方、支持部１２５と上部ボディー１３０との間には後述する第２シーリング部材１６３がさらに介在してもよく、この場合には支持部１２５と上部ボディー１３０が第２シーリング部材１６３を媒介にして間接的に接触することができる。
【００５５】
下部リブ１２７は支持部１２５から下方に延在して、第１結合部１２１と所定距離程度離隔されたリング形状で形成される。これによって、第１結合部１２１、支持部１２５及び下部リブ１２７によって取り囲まれた空の空間が形成される。前記空間の存在によって下部ボディー１２０を製作する時必要となる材料費を節減することができる。但し、これによって下部ボディー１２０の剛性が低下するおそれがあるが、下部リブ１２７を形成することでこのような剛性の低下を防止することができる。
【００５６】
一実施例において、下部リブ１２７は冷水タンク２０の底面２１と接触しなくてもよい。すなわち、下部リブ１２７の末端部と冷水タンク２０の底面２１との間には間隙(gap)が形成されてもよい。前記のように間隙が形成されることで第１結合部１２１、支持部１２５及び下部リブ１２７によって取り囲まれた空間内部に水が自由に出入りすることができる。これによって、下部ボディー１２０と冷水タンク２０の底面２１の間に水垢が生成されるのを防止することができる。一方、前記間隙の大きさ(ｄ)は必要によって多様に設定されてもよい。
【００５７】
上部ボディー１３０は下部ボディー１２０の第２結合部１２３に着脱可能に装着されて、内部に拡散部１５０を収容する。また、上部ボディー１３０の上部には発光部１４０から放出された紫外線を冷水タンク２０内部で供給するための開口１３５が形成される。
【００５８】
上部ボディー１３０は第２結合部１２３に結合される第３結合部１３１、及び第３結合部１３１の上端から半径方向内側に延在する上部リブ１３３を含む。
【００５９】
第３結合部１３１は第２結合部１２３の外周面に脱着可能に装着される。例えば、前記第３結合部はシリンダー形状を有し、内周面にはねじが形成される。すなわち、第３結合部１３１は第２結合部１２３と螺合によって締結される。第３結合部１３１が第２結合部１２３に完全に結合されることで、第３結合部１３１の底面は支持部１２５に接触して支持される。
【００６０】
第３結合部１３１は内部に拡散部１５０を収容することができる。図３乃至図５には拡散部１５０が第３シーリング部材１６５を媒介にして第３結合部１３１の内周面に間接的に接触することが図示されているが、これに制限されるものではない。例えば、第３シーリング部材１６５が拡散部１５０の上面と上部リブ１３３の底面の間に形成されて、拡散部１５０は第３結合部１３１の内周面に直接接触することもできる。また、この場合に第３結合部１３１の内周面に円周方向にリセスが形成されて、拡散部１５０が前記リセスに収容されてもよい。
【００６１】
上部リブ１３３は第３結合部１３１から半径方向内側に延在して形成されて、発光部１４０から放出された紫外線を冷水タンク２０内部に供給するための開口１３５を形成する。例えば、前記上部リブはドーナツ形状の円盤であってもよい。発光部１４０から放出された紫外線は開口１３５を通じて冷水タンク２０内部に供給される。
【００６２】
発光部１４０は下部ボディー１２０の内部、より具体的には第２結合部１２３の内部に配置されて、冷水タンク２０内部及びこれに収容された水を殺菌するための紫外線を放出することができる。
【００６３】
発光部１４０は第２結合部１２３内部に収容される基板１４１、及び基板１４１上面に配置される少なくとも一つの紫外線発光ダイオード(Ultraviolet Light Emitting Diode、ＵＶＬＥＤ)１４３を含むことができる。
【００６４】
基板１４１は、例えば、印刷回路基板(Printed Circuit Board、ＰＣＢ)であってもよい。基板１４１の形状は下部ボディー１２０の第２結合部１２３の形状に対応してもよい。例えば、第２結合部１２３がシリンダー形状で形成される場合、基板１４１は円盤形状を有してもよい。これと異なり、第２結合部１２３が多角形の形状を有する場合には基板１４１もこれに対応する多角形の形状で形成されてもよい。
【００６５】
紫外線発光ダイオード１４３は基板１４１上面にボンディングされ、紫外線を放出する。例えば、前記紫外線発光ダイオードは殺菌力が強い２５０ｎｍ乃至２８０ｎｍ波長の紫外線を放出する。前記紫外線が冷水タンク２０内部に放出されることで冷水タンク２０及びこれに貯蔵された水中に含まれた細菌を除去することができ、冷水タンク２０内部での細菌増殖を抑制することができる。この場合において、基板１４１上面に配置される紫外線発光ダイオード１４３の個数は冷水タンク２０内部を殺菌するに十分な出力を有するように決めることができる。
【００６６】
一方、紫外線発光ダイオード１４３を動作させるための電力は外部から電力供給部１７０を通じて供給される。この時、電力供給部１７０は固定部１１０に形成された中空を通じて発光部１４０に電力を供給することができる。例えば、前記電力供給部１７０は外部の電力源と連結された配線であってもよい。
【００６７】
一方、紫外線発光ダイオード１４３は点光源であるので、紫外線が冷水タンク２０内部に均一に放出されることができない可能性がある。また、紫外線発光ダイオード１４３は水と直接接触する場合破損するおそれがある。この場合において、発光部１４０上部に拡散部１５０を設置することで、放出された紫外線の均一度を向上させることができ、発光部１４０が水と直接接触することを防止することができる。
【００６８】
拡散部１５０は発光部１４０上部に配置され、発光部１４０から放出された紫外線を均一に分散させることができる。例えば、前記拡散部は導光板(Light Guide Plate、ＬＧＰ)であってもよい。紫外線発光ダイオード１４３から点光源の形態で放出された紫外線は拡散部１５０を経ながら面光源に変換され、冷水タンク２０の内部に均一に供給される。例えば、前記拡散部は石英(quartz)、硝子(glass)、紫外線用特殊アクリルなどを含んでもよい。
【００６９】
紫外線発光ダイオード１４３から放出された紫外線は、拡散部１５０及び上部ボディー１３０に形成された開口１３５を順次経て冷水タンク２０内部に供給される。
【００７０】
拡散部１５０の上面は冷水タンク２０内部の水と直接接触して、底面は発光部１４０と対向する。拡散部１５０の側面は上部ボディー１３０と接触して、後述する第３シーリング部材１６５によって拡散部１５０と上部ボディー１３０との間の気密が維持される。よって、拡散部１５０は冷水タンク２０の水が殺菌装置１００内部に浸透するのを防止し発光部１４０が水と接触することを防止することができる。
【００７１】
拡散部１５０の形状は上部ボディー１３０の第３結合部１３１形状に対応する。例えば、第３結合部１３１がシリンダー形状で形成される場合拡散部１５０は円盤形状を有してもよい。これと異なり、第３結合部１３１が多角形の形状を有する場合には拡散部１５０もこれに対応する多角形の形状で形成されてもよい。
【００７２】
一方、図３乃至図５には発光部１４０が下部ボディー１２０内部に配置され、拡散部１５０は上部ボディー１３０内部に配置されることが図示されているが、これに制限されるものではなく、必要によって発光部１４０及び拡散部１５０の配置は多様に変更され得る。例えば、発光部１４０及び拡散部１５０がすべて下部ボディー１２０内部に配置されてもよく、これと異なり、発光部１４０及び拡散部１５０がすべて上部ボディー１３０内部に配置されてもよい。
【００７３】
シーリング部１６０は冷水タンク２０に貯蔵された水が前記殺菌装置１００内部に浸透するのを防止することができる。具体的に、固定部１１０は冷水タンク２０の底面２１を貫通することで、冷水タンク２０に貯蔵された水が外部に流出される。また、発光部１４０の紫外線発光ダイオード１４３は直接水と接触すると破損するおそれがある。シーリング部１６０は紫外線発光ダイオード１４３が水と接触するのを防止して、冷水タンク２０内部の水が外部に流出するのを防止することができる。
【００７４】
シーリング部１６０は固定部１１０の上面をカバーして下部ボディー１２０の内周面に接触する第１シーリング部材１６１、下部ボディー１２０と上部ボディー１３０との間に配置される第２シーリング部材１６３、及び上部ボディー１３０と拡散部１５０との間に配置される第３シーリング部材１６５を含む。例えば、前記第１乃至第３シーリング部材らはゴムを含んでもよい。
【００７５】
第１シーリング部材１６１は固定部１１０内部に挿入されるシリンダー形状のシーリング胴体１６１ａ、及びシーリング胴体１６１ａの上端から半径方向外側に延在して固定部１１０の上面をカバーして下部ボディー１２０の内周面に接触するシーリングリブ１６１ｂを含む。例えば、前記第１シーリング部材は"Ｔ"字形状の断面を有してもよい。
【００７６】
電力供給部１７０はシーリング胴体１６１ａの内部に形成された中空を通じて発光部１４０と連結される。シーリングリブ１６１ｂは固定部１１０の上面をカバーして、下部ボディー１２０の第１結合部１２１内周面に接触する。これによって、第１シーリング部材１６１は第１結合部１２１と冷水タンク２０の底面２１との間の空間を通じて水が浸透するのを防止することができる。
【００７７】
第２シーリング部材１６３は、下部ボディー１２０と上部ボディー１３０との間に介在する。具体的には、第２シーリング部材１６３の底面は下部ボディー１２０の支持部１２５上面と接触して、上面は上部ボディー１３０の第３結合部１３１底面と接触してもよい。例えば、前記第２シーリング部材はリング(ring)形状を有してもよい。
【００７８】
第２シーリング部材１６３は下部ボディー１２０と上部ボディー１３０との結合面を通じて水が浸透するのを防止することで、浸水による紫外線発光ダイオード１４３の破損を防止することができる。
【００７９】
第３シーリング部材１６５は上部ボディー１３０と拡散部１５０との間に介在する。具体的には、第３シーリング部材１６５の外周面は上部ボディー１３０の内周面と接触して、内周面は拡散部１５０の外周面を囲む。例えば、前記第３シーリング部材は全体的にリング(ring)形状を有し、その断面は"コ"字形状であってもよい。
【００８０】
第３シーリング部材１６５は上部ボディー１３０と拡散部１５０との間の空間を通じて水が浸透するのを防止することで、浸水による紫外線発光ダイオード１４３の破損を防止することができる。
【００８１】
一方、図３乃至図５には第３シーリング部材１６５の上面は、上部ボディー１３０の上部リブ１３３底面と接触して、底面は発光部１４０の基板１４１上面及び下部ボディー１２０の第２結合部１２３上面に接触するものとして図示されている。この場合、上部ボディー１３０と拡散部１５０との間の空間を通じて水が浸透するのを防止する効果を極大化することができるが、必ずしもこのような形態に第３シーリング部材１６５の大きさまたは形状が限定されるものではない。すなわち、第３シーリング部材１６５は上部ボディー１３０の第３結合部１３１と拡散部１５０との間に介在すれば充分であり、第３シーリング部材１６５の上面及び底面がそれぞれ上部リブ１３３及び基板１４１と接触しないこともある。
【００８２】
前述したように、例示的な実施例による冷温水器は、冷水タンク２０内部に紫外線を放出する殺菌装置１００を具備することで、冷水タンク２０に対する殺菌及び消毒を実行することができる。これによって、冷水タンク２０内部での細菌増殖を抑制することができる、前記冷温水器の清潔度を向上させることができる。
【符号の説明】
【００８３】
１０  本体
１１  温水レバー
１２  冷水レバー
１３  温水コーク
１４  冷水コーク
１５  温水ボタン
１７  トレー
２０  冷水タンク
２１  底面
３０  温水タンク
４０  フィルター
５１  第１給水管
５３  第２給水管
５５  第３給水管
６１  冷水出水管
６３  温水出水管
８１  圧縮機
８３  蒸発器
８５  断熱部材
９０  分離部
９１  分離板
９３  連結管
１００  殺菌装置
１１０  固定部
１２０  下部ボディー
１２１  第１結合部
１２３  第２結合部
１２５  支持部
１２７  下部リブ
１３０  上部ボディー
１３１  第３結合部
１３３  上部リブ
１４０  発光部
１４１  基板
１４３  紫外線発光ダイオード
１５０  拡散部
１６０  シーリング部
１６１  第１シーリング部材
１６１a  シーリング胴体
１６１ｂ  シーリングリブ
１６３  第２シーリング部材
１６５  第３シーリング部材
１７０  電力供給部
【図１】
2017165483.tif 000003
【図２】
2017165483.tif 000004
【図３】
2017165483.tif 000005
【図４】
2017165483.tif 000006
【図５】
2017165483.tif 000007
【図６】
2017165483.tif 000008